(57)【特許請求の範囲】
【請求項１】
命令を記憶するメモリと、
送信されるべきサービスデータの変調タイプを決定し、ここで前記変調タイプが階層変調と非階層変調とを含み、
前記変調タイプが前記階層変調であるとき、前記階層変調によって、送信されるべき前記サービスデータを変調し、階層変調信号をユーザ機器（ＵＥ）に送り、
基本層変調の変調次数及び前記基本層変調のトランスポートブロックサイズ（ＴＢＳ）インデックス値を前記ＵＥに通知することを回避することによって、シグナリングオーバーヘッドを節約するように、変調構成情報を前記ＵＥに送り、ここで前記変調構成情報が前記の決定された変調タイプを示す、
前記命令を実行するために前記メモリに結合されたプロセッサとを備え、
前記サービスデータが基本層データと追加層データとを含み、前記基本層データの優先度が前記追加層データの優先度よりも高く、前記階層変調が基本層変調と追加層変調とを含み、前記基本層変調は、前記サービスデータ内の前記基本層データに対して実行される変調であり、前記追加層変調は、前記サービスデータ内の前記追加層データに対して実行される変調であり、
前記変調構成情報が変調符号化方式（ＭＣＳ）インデックスを含み、異なるＭＣＳインデックスは異なるＭＣＳ構成情報に対応し、前記ＭＣＳ構成情報が、
下記の、（ａ）基本層コンステレーションポイント間隔と階層変調コンステレーションポイント間隔との比、（ｂ）追加層コンステレーションポイント間隔と階層変調コンステレーションポイント間隔との比、（ｃ）基本層変調信号の送信電力と前記階層変調信号の送信電力との比、及び（ｄ）追加層変調信号の送信電力と前記階層変調信号の送信電力との比、という４つの比のうちのいずれか１つを含み、
前記階層変調信号と前記変調構成情報が同時に送信される、信号伝送装置。
【請求項２】
前記ＭＣＳ構成情報が、
前記階層変調の全変調次数及び前記追加層変調の変調次数のいずれかと、
前記階層変調に対応する全ＴＢＳインデックス値及び前記追加層変調に対応するＴＢＳインデックス値のいずれかと
をさらに含む、請求項１に記載の装置。
【請求項３】
前記変調構成情報が、前記階層変調に対応する前記全ＴＢＳインデックス値と前記追加層変調に対応する前記ＴＢＳインデックス値のいずれかを含む場合、
前記基本層変調の前記変調次数と前記追加層変調の前記変調次数との比が、前記基本層変調に対応する前記ＴＢＳインデックス値と前記追加層変調に対応する前記ＴＢＳインデックス値との比に等しいか、又は
前記基本層変調の前記変調次数と前記追加層変調の前記変調次数との比及び前記基本層変調の符号化レートと前記追加層変調の符号化レートとの比の積が、前記基本層変調に対応する前記ＴＢＳインデックス値と前記追加層変調に対応する前記ＴＢＳインデックス値との比に等しい、請求項２に記載の装置。
【請求項４】
前記ＭＣＳ構成情報が、
前記階層変調でのいずれかの層における前記変調の変調次数と、いずれかの層における前記変調に対応するトランスポートブロックサイズ（ＴＢＳ）インデックス値をさらに含む、請求項１に記載の装置。
【請求項５】
前記変調構成情報が、
パイロット信号の送信電力と前記階層変調信号の前記送信電力との比、又は
パイロット信号の送信電力と、基本層変調信号の前記送信電力及び追加層変調信号の前記送信電力の各々との比、又は
パイロット信号の送信電力と前記基本層変調信号の前記送信電力との比
をさらに含む、請求項２から４のいずれか一項に記載の装置。
【請求項６】
前記サービスデータがマルチメディアブロードキャストマルチキャストサービス（ＭＢＭＳ）データであり、
前記メモリに結合された前記プロセッサが、マルチキャスト制御チャネル（ＭＣＣＨ）とマルチキャストトラフィックチャネル（ＭＴＣＨ）が同じサブフレーム上で送信される必要があるとき、前記変調タイプが前記階層変調であることを決定するとともに、ＭＣＣＨ変調中に使用される前記変調構成情報を使用することによって、前記ＭＴＣＨ上で送信される必要がある前記ＭＢＭＳデータを変調する、前記命令を実行する、請求項１に記載の装置。
【請求項７】
命令を記憶するメモリと、
基本層変調の変調次数及び前記基本層変調のトランスポートブロックサイズ（ＴＢＳ）インデックス値を通知されることを回避することによって、シグナリングオーバーヘッドを節約するように、ネットワーク側デバイスから変調構成情報を受信し、ここで前記変調構成情報がサービスデータの変調タイプを示し、前記変調タイプが階層変調と非階層変調とを含み、
前記ネットワーク側デバイスによって送られた階層変調信号を受信し、ここで前記階層変調信号が、前記サービスデータに対して前記階層変調が実行された後で取得される信号であり、
前記階層変調信号を、前記の受信された変調構成情報に従って復調する、
前記命令を実行するために前記メモリに結合されたプロセッサとを備え、
前記サービスデータが基本層データと追加層データとを含み、前記基本層データの優先度が前記追加層データの優先度よりも高く、前記階層変調が基本層変調と追加層変調とを含み、前記基本層変調は、前記サービスデータ内の前記基本層データに対して実行される変調であり、前記追加層変調は、前記サービスデータ内の前記追加層データに対して実行される変調であり、
前記変調構成情報が変調符号化方式（ＭＣＳ）インデックスを含み、異なるＭＣＳインデックスは異なるＭＣＳ構成情報に対応し、前記ＭＣＳ構成情報が、
下記の、（ａ）基本層コンステレーションポイント間隔と階層変調コンステレーションポイント間隔との比、（ｂ）追加層コンステレーションポイント間隔と階層変調コンステレーションポイント間隔との比、（ｃ）基本層変調信号の送信電力と前記階層変調信号の送信電力との比、及び（ｄ）追加層変調信号の送信電力と前記階層変調信号の送信電力との比、という４つの比のうちのいずれか１つを含み、
前記階層変調信号と前記変調構成情報が同時に受信される、信号伝送装置。
【請求項８】
前記ＭＣＳ構成情報が、
前記階層変調の全変調次数及び前記追加層変調に対応する変調次数のいずれかと、
前記階層変調に対応する全ＴＢＳインデックス値及び前記追加層変調に対応するＴＢＳインデックス値のいずれかと
をさらに含む、請求項７に記載の装置。
【請求項９】
前記変調構成情報が、前記階層変調に対応する前記全ＴＢＳインデックス値と前記追加層変調に対応する前記ＴＢＳインデックス値のいずれかを含む場合、
前記基本層変調の前記変調次数と前記追加層変調の前記変調次数との比が、前記基本層変調に対応する前記ＴＢＳインデックス値と前記追加層変調に対応する前記ＴＢＳインデックス値との比に等しいか、又は
前記基本層変調の前記変調次数と前記追加層変調の前記変調次数との比及び前記基本層変調の符号化レートと前記追加層変調の符号化レートとの比の積が、前記基本層変調に対応する前記ＴＢＳインデックス値と前記追加層変調に対応する前記ＴＢＳインデックス値との比に等しい、請求項８に記載の装置。
【請求項１０】
前記ＭＣＳ構成情報が、
前記階層変調でのいずれかの層における前記変調の変調次数と、いずれかの層における前記変調に対応するトランスポートブロックサイズ（ＴＢＳ）インデックス値をさらに含む、請求項７に記載の装置。
【請求項１１】
前記変調構成情報が、
パイロット信号の送信電力と前記階層変調信号の前記送信電力との比、又は
パイロット信号の送信電力と、基本層変調信号の前記送信電力及び追加層変調信号の前記送信電力の各々との比、又は
パイロット信号の送信電力と前記基本層変調信号の前記送信電力との比
をさらに含む、請求項８から１０のいずれか一項に記載の装置。
【請求項１２】
送信されるべきサービスデータの変調タイプを決定するステップであって、前記変調タイプが階層変調と非階層変調とを含む、決定するステップと、
前記変調タイプが前記階層変調であることが決定されたとき、前記階層変調によって、送信されるべき前記サービスデータを変調し、変調された階層変調信号をユーザ機器（ＵＥ）に送るステップと、
基本層変調の変調次数及び前記基本層変調のトランスポートブロックサイズ（ＴＢＳ）インデックス値を前記ＵＥに通知することを回避することによって、シグナリングオーバーヘッドを節約するように、変調構成情報を前記ＵＥに送るステップであって、前記変調構成情報が、前記の決定された変調タイプを示す、送るステップと
を含み、
前記サービスデータが基本層データと追加層データとを含み、前記基本層データの優先度が前記追加層データの優先度よりも高く、前記階層変調が基本層変調と追加層変調とを含み、前記基本層変調は、前記サービスデータ内の前記基本層データに対して実行される変調であり、前記追加層変調は、前記サービスデータ内の前記追加層データに対して実行される変調であり、
前記変調構成情報が変調符号化方式（ＭＣＳ）インデックスを含み、異なるＭＣＳインデックスは異なるＭＣＳ構成情報に対応し、前記ＭＣＳ構成情報が、
下記の、（ａ）基本層コンステレーションポイント間隔と階層変調コンステレーションポイント間隔との比、（ｂ）追加層コンステレーションポイント間隔と階層変調コンステレーションポイント間隔との比、（ｃ）基本層変調信号の送信電力と前記階層変調信号の送信電力との比、及び（ｄ）追加層変調信号の送信電力と前記階層変調信号の送信電力との比、という４つの比のうちのいずれか１つを含み、
前記階層変調信号と前記変調構成情報が同時に送信される、信号伝送方法。
【請求項１３】
前記ＭＣＳ構成情報が、
前記階層変調の全変調次数及び前記追加層変調の変調次数のいずれかと、
前記階層変調に対応する全ＴＢＳインデックス値及び前記追加層変調に対応するＴＢＳインデックス値のいずれかと
をさらに含む、請求項１２に記載の方法。
【請求項１４】
前記変調構成情報が、前記階層変調に対応する前記全ＴＢＳインデックス値と前記追加層変調に対応する前記ＴＢＳインデックス値のいずれかを含む場合、
前記基本層変調の前記変調次数と前記追加層変調の前記変調次数との比が、前記基本層変調に対応する前記ＴＢＳインデックス値と前記追加層変調に対応する前記ＴＢＳインデックス値との比に等しいか、又は
前記基本層変調の前記変調次数と前記追加層変調の前記変調次数との比及び前記基本層変調の符号化レートと前記追加層変調の符号化レートとの比の積が、前記基本層変調に対応する前記ＴＢＳインデックス値と前記追加層変調に対応する前記ＴＢＳインデックス値との比に等しい、請求項１３に記載の方法。
【請求項１５】
前記ＭＣＳ構成情報が、
前記階層変調でのいずれかの層における前記変調の変調次数と、いずれかの層における前記変調に対応するトランスポートブロックサイズ（ＴＢＳ）インデックス値をさらに含む、請求項１２に記載の方法。
【請求項１６】
前記変調構成情報が、
パイロット信号の送信電力と前記階層変調信号の前記送信電力との比、又は
パイロット信号の送信電力と、基本層変調信号の前記送信電力及び追加層変調信号の前記送信電力の各々との比、又は
パイロット信号の送信電力と前記基本層変調信号の前記送信電力との比
を含む、請求項１３から１５のいずれか一項に記載の方法。
【請求項１７】
前記サービスデータがマルチメディアブロードキャストマルチキャストサービス（ＭＢＭＳ）データであり、当該方法が、
マルチキャスト制御チャネル（ＭＣＣＨ）とマルチキャストトラフィックチャネル（ＭＴＣＨ）が同じサブフレーム上で送信される必要があるとき、前記変調タイプが前記階層変調であることを決定するとともに、ＭＣＣＨ変調中に使用される前記変調構成情報を使用することによって、前記ＭＴＣＨ上で送信される必要がある前記ＭＢＭＳデータを変調するステップを含む、請求項１２に記載の方法。
【発明の詳細な説明】
【技術分野】
【０００１】
本発明は通信技術の分野に関し、詳細には、信号伝送方法及び装置に関する。
【背景技術】
【０００２】
ＭＢＭＳ（Multimedia  Broadcast  Multicast  Service、マルチメディアブロードキャストマルチキャストサービス）は、マルチメディアブロードキャストサービス及びマルチメディアマルチキャストサービスをセル内のユーザ機器（User  Equipment、ＵＥ）に提供するために使用される。マルチメディアブロードキャストサービスは、マルチメディアビデオ情報をすべてのＵＥにブロードキャストし得る。マルチメディアマルチキャストサービスは、何らかの有料マルチメディアビデオ情報を視聴のための加入ＵＥのグループに送り得る。
【０００３】
ＬＴＥ（Long  Term  Evolution、ロングタームエボリューション）システムでは、ＭＢＭＳモードが物理マルチキャストチャネル（Physical  multicast  channel、ＰＭＣＨ）を送信するために使用されるとき、ネットワーク側デバイスは、ＭＢＭＳポイントツーマルチポイント制御チャネル（MBMS  point-to-multipoint  Control  Channel、ＭＣＣＨ）上で、ＭＢＭＳポイントツーマルチポイントトラフィックチャネル（MBMS  point-to-multipoint  Traffic  Channel、ＭＴＣＨ）のための変調符号化方式（Modulation  and  Coding  Scheme、ＭＣＳ）インデックスを送信する。異なるＭＣＳインデックスは、異なるＭＣＳ構成情報に対応する。構成情報は、４相位相シフトキーイング（Quadrature  Phase  Shift  Keying、ＱＰＳＫ）変調、１６直交振幅変調（Quadrature  Amplitude  Modulation、ＱＡＭ）、又は６４ＱＡＭなどの、送信されたＭＴＣＨが変調及び符号化される場合に使用される変調方式を含む。ＵＥは、受信されたＭＴＣＨを、構成情報に従って復調する。
【０００４】
セル端ＵＥと基地局との間のチャネルの環境品質は比較的不良（比較的低い信号対雑音比）であるため、サービス伝送ロバストネスを保証するために、サービスデータがセル端ＵＥに送信されるとき、ＱＰＳＫなどの低次変調符号化方式が使用される必要がある。セル中央ＵＥと基地局との間のチャネルの環境品質は比較的良好（比較的高い信号対雑音比）であるため、サービスデータがセル中央ＵＥに送信されるとき、１６ＱＡＭ又は６４ＱＡＭなどの高次変調符号化方式が、信号伝送ビットレートを改善するために使用され得る。ＬＴＥシステムでは、ＭＢＭＳデータがセル内のすべてのＵＥにブロードキャストされるとき、セル中央ＵＥとセル端ＵＥの両方がＭＢＭＳデータを受信できることを保証するために、低次変調符号化方式のみが選択可能である。このようにして、全体的なシステムスループットが削減され、システムスペクトル利用効率が比較的低くなる。
【発明の概要】
【０００５】
本発明は、ＬＴＥシステムにおける信号伝送様式によりシステムスペクトル利用効率及びシステムスループットが比較的低いという問題を解決するような、信号伝送方法及び装置を提供する。
【０００６】
第１の態様によれば、送信される必要があるサービスデータの変調タイプを決定するように構成された決定モジュールであって、変調タイプが階層変調と非階層変調とを含む、決定モジュールと、決定モジュールが変調タイプは階層変調であることを決定したとき、階層変調によって、送信される必要があるサービスデータを変調し、変調された階層変調信号をユーザ機器ＵＥに送るように構成された第１の送出モジュールと、変調構成情報をＵＥに送るように構成された第２の送出モジュールであって、変調構成情報が、変調タイプを示すために使用される情報を含む、第２の送出モジュールとを含む信号伝送装置が提供される。
【０００７】
第１の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【０００８】
第１の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０００９】
第１の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００１０】
第１の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００１１】
第１の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００１２】
第１の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００１３】
第１の態様、又は第１の態様の第１から第６の可能な実装様式のうちのいずれか１つを参照して、第７の可能な実装様式では、サービスデータはマルチメディアブロードキャストマルチキャストサービスＭＢＭＳデータであり、決定モジュールは、マルチキャスト制御チャネルＭＣＣＨとマルチキャストトラフィックチャネルＭＴＣＨが同じサブフレーム上で送信される必要があるとき、変調タイプが階層変調であることを決定するように特に構成され、第１の送出モジュールは、ＭＣＣＨ変調中に使用される変調構成情報を使用することによって、ＭＴＣＨ上で送信される必要があるＭＢＭＳデータを変調するように特に構成されるか、又は決定モジュールは、マルチキャスト制御チャネルＭＣＣＨとマルチキャストトラフィックチャネルＭＴＣＨが同じサブフレーム上で送信される必要があるとき、変調タイプが非階層変調であることを決定するように特に構成され、第１の送出モジュールは、ＭＣＣＨ変調中に使用される変調構成情報を使用することによって、ＭＴＣＨ上で送信される必要があるＭＢＭＳデータを変調するように特に構成される。
【００１４】
第２の態様によれば、ネットワーク側デバイスによって送られた変調構成情報を受信するように構成された第１の受信モジュールであって、変調構成情報が、サービスデータの変調タイプを示すために使用される情報を含み、変調タイプが階層変調と非階層変調とを含む、第１の受信モジュールと、ネットワーク側デバイスによって送られた階層変調信号を受信するように構成された第２の受信モジュールであって、階層変調信号が、サービスデータに対して階層変調が実行された後で取得される信号である、第２の受信モジュールと、サービスデータを取得するように、第２の受信モジュールによって受信された階層変調信号を、第１の受信モジュールによって受信された変調構成情報に従って復調するように構成された復調モジュールとを含む信号伝送装置が提供される。
【００１５】
第２の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【００１６】
第２の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調に対応する変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００１７】
第２の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００１８】
第２の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００１９】
第２の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００２０】
第２の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００２１】
第３の態様によれば、プロセッサとメモリとバスとを含む信号伝送装置であって、メモリが実行命令を記憶し、装置が実行されるとき、プロセッサは、バスを使用することによってメモリと通信し、プロセッサは、実行命令を実行し、その結果、装置が、下記の方法、すなわち、送信される必要があるサービスデータの変調タイプを決定するステップであって、変調タイプが階層変調と非階層変調とを含む、決定するステップと、変調タイプが階層変調であることが決定されたとき、階層変調によって、送信される必要があるサービスデータを変調し、変調された階層変調信号をユーザ機器ＵＥに送るステップと、変調構成情報をＵＥに送るステップであって、変調構成情報が、変調タイプを示すために使用される情報を含む、送るステップとを実行する、信号伝送装置が提供される。
【００２２】
第３の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【００２３】
第３の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００２４】
第３の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００２５】
第３の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００２６】
第３の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００２７】
第３の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００２８】
第３の態様、又は第３の態様の第１から第６の可能な実装様式のうちのいずれか１つを参照して、第７の可能な実装様式では、サービスデータはマルチメディアブロードキャストマルチキャストサービスＭＢＭＳデータであり、プロセッサによって実行される方法において、送信される必要があるサービスデータの変調タイプを決定するステップは、マルチキャスト制御チャネルＭＣＣＨとマルチキャストトラフィックチャネルＭＴＣＨが同じサブフレーム上で送信される必要があるとき、変調タイプが階層変調であることを決定するステップを含み、変調タイプが階層変調であることが決定されたとき、階層変調によって、送信される必要があるサービスデータを変調するステップは、ＭＣＣＨ変調中に使用される変調構成情報を使用することによって、ＭＴＣＨ上で送信される必要があるＭＢＭＳデータを変調するステップを含むか、又はプロセッサによって実行される方法において、送信される必要があるサービスデータの変調タイプを決定するステップは、マルチキャスト制御チャネルＭＣＣＨとマルチキャストトラフィックチャネルＭＴＣＨが同じサブフレーム上で送信される必要があるとき、変調タイプが非階層変調であることを決定するステップを含み、変調タイプが非階層変調であることが決定された後で、送信される必要があるサービスデータの変調タイプを決定するステップは、ＭＣＣＨ変調中に使用される変調構成情報を使用することによって、ＭＴＣＨ上で送信される必要があるＭＢＭＳデータを変調するステップをさらに含む。
【００２９】
第４の態様によれば、プロセッサとメモリとバスとを含む信号伝送装置であって、メモリが実行命令を記憶し、装置が実行されるとき、プロセッサは、バスを使用することによってメモリと通信し、プロセッサは、実行命令を実行し、その結果、装置が、下記の方法、すなわち、ネットワーク側デバイスによって送られた変調構成情報を受信するステップであって、変調構成情報が、サービスデータの変調タイプを示すために使用される情報を含み、変調タイプが階層変調と非階層変調とを含む、受信するステップと、ネットワーク側デバイスによって送られた階層変調信号を受信するステップであって、階層変調信号が、サービスデータに対して階層変調が実行された後で取得される信号である、受信するステップと、サービスデータを取得するように、受信された階層変調信号を、受信された変調構成情報に従って復調するステップとを実行する、信号伝送装置が提供される。
【００３０】
第４の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【００３１】
第４の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調に対応する変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００３２】
第４の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００３３】
第４の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００３４】
第４の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００３５】
第４の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００３６】
第５の態様によれば、送信される必要があるサービスデータの変調タイプを決定するステップであって、変調タイプが階層変調と非階層変調とを含む、決定するステップと、変調タイプが階層変調であることが決定されたとき、階層変調によって、送信される必要があるサービスデータを変調し、変調された階層変調信号をユーザ機器ＵＥに送るステップと、変調構成情報をＵＥに送るステップであって、変調構成情報が、変調タイプを示すために使用される情報を含む、送るステップとを含む信号伝送方法が提供される。
【００３７】
第５の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【００３８】
第５の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００３９】
第５の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００４０】
第５の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００４１】
第５の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００４２】
第５の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００４３】
第５の態様、又は第５の態様の第１から第６の可能な実装様式のうちのいずれか１つを参照して、第７の可能な実装様式では、サービスデータはマルチメディアブロードキャストマルチキャストサービスＭＢＭＳデータであり、送信される必要があるサービスデータの変調タイプを決定するステップは、マルチキャスト制御チャネルＭＣＣＨとマルチキャストトラフィックチャネルＭＴＣＨが同じサブフレーム上で送信される必要があるとき、変調タイプが階層変調であることを決定するステップを含み、変調タイプが階層変調であることが決定されたとき、階層変調によって、送信される必要があるサービスデータを変調するステップは、ＭＣＣＨ変調中に使用される変調構成情報を使用することによって、ＭＴＣＨ上で送信される必要があるＭＢＭＳデータを変調するステップを含むか、又は送信される必要があるサービスデータの変調タイプを決定するステップは、マルチキャスト制御チャネルＭＣＣＨとマルチキャストトラフィックチャネルＭＴＣＨが同じサブフレーム上で送信される必要があるとき、変調タイプが非階層変調であることを決定するステップを含み、変調タイプが非階層変調であることが決定された後で、送信される必要があるサービスデータの変調タイプを決定するステップは、ＭＣＣＨ変調中に使用される変調構成情報を使用することによって、ＭＴＣＨ上で送信される必要があるＭＢＭＳデータを変調するステップをさらに含む。
【００４４】
第６の態様によれば、ネットワーク側デバイスによって送られた変調構成情報を受信するステップであって、変調構成情報が、サービスデータの変調タイプを示すために使用される情報を含み、変調タイプが階層変調と非階層変調とを含む、受信するステップと、ネットワーク側デバイスによって送られた階層変調信号を受信するステップであって、階層変調信号が、サービスデータに対して階層変調が実行された後で取得される信号である、受信するステップと、サービスデータを取得するように、受信された階層変調信号を、変調構成情報に従って復調するステップとを含む信号伝送方法が提供される。
【００４５】
第６の態様を参照して、第１の可能な実装様式では、サービスデータは基本層データと追加層データとを含み、基本層データの優先度は追加層データの優先度よりも高く、階層変調は基本層変調と追加層変調とを含み、基本層変調は、サービスデータ内の基本層データに対して実行される変調であり、追加層変調は、サービスデータ内の追加層データに対して実行される変調である。
【００４６】
第６の態様の第１の可能な実装様式を参照して、第２の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調に対応する変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００４７】
第６の態様の第２の可能な実装様式を参照して、第３の可能な実装様式では、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００４８】
第６の態様の第１の可能な実装様式を参照して、第４の可能な実装様式では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００４９】
第６の態様の第１の可能な実装様式を参照して、第５の可能な実装様式では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００５０】
第６の態様の第２から第５の可能な実装様式のうちのいずれか１つを参照して、第６の可能な実装様式では、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００５１】
本発明の実施形態における技術的解決策についてより明確に説明するために、下記で、実施形態について説明するために必要とされる添付の図面を簡潔に紹介する。明らかに、下記の説明における添付の図面は、本発明のいくつかの実施形態を示しているにすぎず、当業者は依然として、創造的な努力なしに、これらの添付の図面から他の図面を導き出し得る。
【図面の簡単な説明】
【００５２】
【図１】本発明の実施形態１による信号伝送装置の概略構造図である。
【図２】本発明の実施形態２による信号伝送装置の概略構造図である。
【図３】本発明の実施形態３による信号伝送装置の概略構造図である。
【図４】本発明の実施形態４による信号伝送装置の概略構造図である。
【図５】本発明の実施形態５による信号伝送方法のフローチャートである。
【図６】階層変調の概略コンステレーション図である。
【図７】本発明の実施形態６による信号伝送方法のフローチャートである。
【発明を実施するための形態】
【００５３】
本発明の実施形態の目的、技術的解決策、及び利点をより明確にするために、下記は、本発明の実施形態における添付の図面を参照しながら、本発明の実施形態における技術的解決策について明確かつ完全に説明する。明らかに、説明される実施形態は、本発明の実施形態のすべてではなく一部である。創造的な努力なしに本発明の実施形態に基づいて当業者によって取得されるすべての他の実施形態は、本発明の保護範囲に含まれるものとする。
【００５４】
本発明の実施形態では、ネットワーク側デバイスは、送信されるべきデータの変調タイプとして階層変調を選択し、階層変調の変調構成情報をＵＥに送り得る。このようにして、ＵＥは、変調構成情報を使用して、ネットワーク側デバイスからの、受信された階層変調信号を復調し得る。階層変調は、埋め込み変調（Embedded  modulation）、多重解像度変調（Multi-resolution  modulation）、非対称変調（asymmetrical  modulation）、又は不均一変調（Non-uniform  modulation）とも呼ばれることがある。階層変調の基本概念は、異なるサービス品質（Quality  of  Service、ＱｏＳ）を有するデータを異なる層にマッピングすることである。
【００５５】
この階層変調方式を使用することによって、異なるＭＢＭＳデータが異なるＵＥに提供され得る。たとえば、ＭＢＭＳデータがセル中央ＵＥ及びセル端ＵＥに送られ、優先度の高いデータは階層変調における基本層変調（ＱＰＳＫなど）によって変調され得、優先度の低いデータは階層変調における追加層変調（１６ＱＡＭなど）によって変調され得る。このようにして、比較的良好なチャネル状態を有するセル中央ＵＥと比較的不良なチャネル状態を有するセル端ＵＥの両方が、適切な復調によって階層変調信号から優先度の高いデータを取得することができるだけでなく、比較的に良好なチャネル状態を有するセル中央ＵＥは、適切な復調によって階層変調信号から優先度の低いデータをさらに取得することができる。本明細書において、異なる優先度を有するデータは、同じブロックエラー率（ＢＬＥＲ、Block  error  ratio）に到達するために異なる動作ポイントを必要とする。優先度の高いデータは、厳密な保護を必要とする。具体的には、必要とされる目標ＢＬＥＲ（１％のＢＬＥＲなど）は、信号対干渉雑音比（Signal  to  Interference  plus  Noise  Ratio、ＳＩＮＲ）が比較的低い場合に到達される必要がある。優先度の低いデータは、比較的低い程度の保護を必要とする。具体的には、必要とされる目標ＢＬＥＲ（１％のＢＬＥＲなど）は、ＳＩＮＲが比較的高い場合に到達される必要がある。或いは、優先度の高いデータによってサポートされるデータサービスは、比較的大きなカバレッジエリアを必要とし、たとえば中国中央電視台の全国的ブロードキャストサービスがある。優先度の低いデータによってサポートされるデータサービスは、比較的小さいカバレッジエリアを必要とし、たとえば地方ラジオ局のサービスがある。この方式を使用することによって、システムスペクトル利用効率及びシステムスループットが大幅に改善可能である。
【００５６】
本発明の実施形態は、前述のＭＢＭＳサービスの伝送に適用可能であるだけでなく、ユニキャストサービスの伝送にも適用可能である。ユニキャストサービスが伝送されるとき、異なる層における変調はそれぞれ、異なるユニキャストサービスデータを変調するために使用され得る。異なるユニキャストサービスデータは、優先度の高いデータと、優先度の低いデータとを含む。優先度の高いデータは、比較的不良なチャネル状態を有するＵＥ（セル端ＵＥなど）に割り振られる必要があり、優先度の低いユニキャストサービスデータは、比較的良好なチャネル状態を有するＵＥ（セル中央ＵＥなど）に割り振られる必要がある。変調された階層変調信号が、異なるチャネル状態を有するＵＥに伝送された後で、各ＵＥは、復調によって階層変調信号からＵＥのユニキャストサービスデータを取得し得る。
【００５７】
下記は、さらに、本明細書における添付の図面を参照しながら、本発明の実施形態について詳細に説明する。
【００５８】
本発明の下記の実施形態は、信号伝送装置の実装形態について最初に説明する。本発明における信号伝送装置の実装形態は、本発明における信号伝送方法の実装形態に類似している。特定の実装形態については、その後の実施形態において説明される信号伝送方法の実装形態に対して参照がなされてよく、繰り返される説明は提供されない。
【００５９】
図１に示されるように、図１は、本発明の実施形態１による信号伝送装置の概略構造図であり、信号伝送装置は、決定モジュール１１と、第１の送出モジュール１２と、第２の送出モジュール１３とを含む。
【００６０】
決定モジュール１１は、送信される必要があるサービスデータの変調タイプを決定するように構成され、変調タイプは、階層変調と、非階層変調とを含む。
【００６１】
本明細書において、決定モジュール１１の前述の実行命令は、具体的には、ネットワーク側デバイス内のプロセッサによって実行され得る。
【００６２】
第１の送出モジュール１２は、決定モジュール１１が変調タイプは階層変調であることを決定したとき、階層変調によって、送信される必要があるサービスデータを変調し、変調された階層変調信号をユーザ機器ＵＥに送るように構成される。
【００６３】
第２の送出モジュール１３は変調構成情報をＵＥに送るように構成され、変調構成情報は、変調タイプを示すために使用される情報を含む。
【００６４】
本明細書において、第１の送出モジュール１２及び第２の送出モジュール１３の前述の実行命令は、具体的には、ネットワーク側デバイス内の送信機によって実行され得る。
【００６５】
第１の送出モジュール１２は、第２の送出モジュール１３が変調構成情報を送りながら、階層変調信号を送り得るか、又は、第２の送出モジュール１３が変調構成情報を送った後で、階層変調信号を送り得ることに留意されたい。２つの実行順序は、本発明のこの実施形態では限定されない。
【００６６】
本発明のこの実施形態では、送信される必要があるサービスデータに対して、決定モジュール１１は、使用される必要がある変調タイプを決定する。変調タイプは、非階層変調（すなわち、単一変調方式）又は階層変調であってよい。任意選択で、階層変調という変調タイプの場合、サービスデータは基本層データと追加層データとを含み、基本層データの優先度は追加層データの優先度よりも高い（すなわち、基本層データによって必要とされる保護程度は、追加層データによって必要とされる保護程度よりも高い）。階層変調は基本層変調と追加層変調とを含み、基本層変調は、サービスデータ内の基本層データに対して実行される変調であり、追加層変調は、サービスデータ内の追加層データに対して実行される変調であり、すなわち、基本層変調信号の優先度は追加層変調信号の優先度よりも高い。
【００６７】
変調タイプに加えて、受信された階層変調信号を適切に復調するために、ＵＥは、いずれかの層における変調の変調次数（異なる変調次数は異なる変調方式に対応する）、トランスポートブロックサイズ（Transport  Block  Size、ＴＢＳ）インデックス値、いずれかの層における変調信号の電力、及び符号化レートなどの、階層変調信号に対応するさまざまな変調パラメータ値を決定する必要がある。
【００６８】
本発明のこの実施形態では、変調タイプを除く前述の他の変調パラメータ値は、ＵＥ側であらかじめ規定されてもよいし、又は他の変調パラメータ値は、下記の３つの構成様式のうちのいずれか１つを使用することによってＵＥに通知されてもよい。本発明の下記の実施形態において提供される３つの構成様式は、それぞれ、階層変調に対応するか又は追加層変調に対応する変調パラメータ値をＵＥに通知すること、いずれかの層における変調に対応する変調パラメータ値をＵＥに通知すること、及び基本層変調に対応する変調パラメータ値をＵＥに通知することを含む。下記は、３つの構成様式について１つずつ説明する。
【００６９】
第１の様式では、ＵＥに、階層変調に対応するか又は追加層変調に対応する変調パラメータ値が通知される。
【００７０】
この構成様式では、ネットワーク側デバイスは、基本層変調の変調次数及びＴＢＳインデックス値などのパラメータ値をＵＥに通知することを必要とせず、これは、シグナリングオーバーヘッドを節約し得る。
【００７１】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００７２】
任意選択で、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００７３】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００７４】
第２の様式では、ＵＥに、いずれかの層における変調に対応する変調パラメータ値が通知される。
【００７５】
この構成様式では、いずれかの層における変調に対応する変調次数とＴＢＳインデックス値は、一緒にＵＥに通知され得る。この別個の構成様式では、パラメータ構成はより柔軟になり、ＵＥ側でのデータ処理は、複雑さが低くなる。
【００７６】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００７７】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００７８】
第３の様式では、ＵＥに、基本層変調に対応する変調パラメータ値が通知される。
【００７９】
この構成様式では、セル内のすべてのＵＥに対して、基本層変調の変調次数及びＴＢＳインデックス値のみが通知され得、これは、階層変調をサポートしないＵＥにおけるデータ処理の複雑さを低下させる。
【００８０】
具体的には、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００８１】
任意選択で、この種類の変調構成情報の場合、変調構成情報は、パイロット信号の送信電力と基本層変調信号の送信電力との比をさらに含む。
【００８２】
任意選択で、サービスデータは、マルチメディアブロードキャストマルチキャストサービスＭＢＭＳデータである。
【００８３】
決定モジュール１１は、マルチキャスト制御チャネルＭＣＣＨとマルチキャストトラフィックチャネルＭＴＣＨが同じサブフレーム上で送信される必要があるとき、変調タイプが階層変調であることを決定するように特に構成され、第１の送出モジュール１２は、ＭＣＣＨ変調中に使用される変調構成情報を使用することによって、ＭＴＣＨ上で送信される必要があるＭＢＭＳデータを変調するように特に構成されるか、又は決定モジュール１１は、マルチキャスト制御チャネルＭＣＣＨとマルチキャストトラフィックチャネルＭＴＣＨが同じサブフレーム上で送信される必要があるとき、変調タイプが非階層変調であることを決定するように特に構成され、第１の送出モジュール１２は、ＭＣＣＨ変調中に使用される変調構成情報を使用することによって、ＭＴＣＨ上で送信される必要があるＭＢＭＳデータを変調するように特に構成される。
【００８４】
図２に示されるように、図２は、本発明の実施形態２による信号伝送装置の概略構造図であり、信号伝送装置は、第１の受信モジュール２１と、第２の受信モジュール２２と、復調モジュール２３とを含む。
【００８５】
第１の受信モジュール２１は、ネットワーク側デバイスによって送られた変調構成情報を受信するように構成され、変調構成情報は、サービスデータの変調タイプを示すために使用される情報を含み、変調タイプは階層変調と非階層変調とを含む。
【００８６】
第２の受信モジュール２２は、ネットワーク側デバイスによって送られた階層変調信号を受信するように構成され、階層変調信号は、サービスデータに対して階層変調が実行された後で取得される信号である。
【００８７】
本明細書において、第１の受信モジュール２１及び第２の受信モジュール２２の前述の実行命令は、具体的には、ユーザ機器ＵＥ内の受信機によって実行され得る。
【００８８】
復調モジュール２３は、サービスデータを取得するように、第２の受信モジュール２２によって受信された階層変調信号を、第１の受信モジュール２１によって受信された変調構成情報に従って復調するように構成される。
【００８９】
本明細書において、復調モジュール２３の前述の実行命令は、具体的には、ユーザ機器ＵＥ内のプロセッサによって実行され得る。
【００９０】
任意選択で、サービスデータは基本層データと追加層データとを含み、基本層データの優先度は追加層データの優先度よりも高い。
【００９１】
階層変調は基本層変調と追加層変調とを含み、基本層変調は、サービスデータ内の基本層データに対して実行される変調であり、追加層変調は、サービスデータ内の追加層データに対して実行される変調である。
【００９２】
変調タイプに加えて、前述の変調構成情報は、下記の３つの種類のうちのいずれか１つをさらに含み得る。
【００９３】
第１の種類では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００９４】
任意選択で、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【００９５】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００９６】
第２の種類では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【００９７】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【００９８】
第３の種類では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【００９９】
任意選択で、この種類の変調構成情報の場合、変調構成情報は、パイロット信号の送信電力と基本層変調信号の送信電力との比をさらに含む。
【０１００】
図３に示されるように、図３は、本発明の実施形態３による信号伝送装置の概略構造図であり、信号伝送装置は、プロセッサ３１と、メモリ３２と、バス３３とを含む。メモリ３２は実行命令を記憶する。装置が実行されるとき、プロセッサ３１は、バスを使用することによってメモリ３２と通信する。プロセッサ３１は、実行命令を実行し、その結果、装置が、下記の方法、すなわち、送信される必要があるサービスデータの変調タイプを決定することであって、変調タイプが階層変調と非階層変調とを含む、決定することと、変調タイプが階層変調であることが決定されたとき、階層変調によって、送信される必要があるサービスデータを変調し、変調された階層変調信号をユーザ機器ＵＥに送ることと、変調構成情報をＵＥに送ることであって、変調構成情報が、変調タイプを示すために使用される情報を含む、送ることとを実行する。
【０１０１】
前述の方法を実行するとき、プロセッサ３１は、階層変調信号と変調構成情報を同時に送ってもよいし、又は変調構成情報を送った後で、階層変調信号を送ってもよいことに留意されたい。２つの実行順序は、本発明のこの実施形態では限定されない。
【０１０２】
本発明のこの実施形態では、送信される必要があるサービスデータに対して、プロセッサ３１は、使用される必要がある変調タイプを決定する。変調タイプは、非階層変調（すなわち、単一変調方式）又は階層変調であってよい。任意選択で、階層変調という変調タイプの場合、サービスデータは基本層データと追加層データとを含み、基本層データの優先度は追加層データの優先度よりも高い（すなわち、基本層データによって必要とされる保護程度は、追加層データによって必要とされる保護程度よりも高い）。階層変調は基本層変調と追加層変調とを含み、基本層変調は、サービスデータ内の基本層データに対して実行される変調であり、追加層変調は、サービスデータ内の追加層データに対して実行される変調であり、すなわち、基本層変調信号の優先度は追加層変調信号の優先度よりも高い。
【０１０３】
変調タイプに加えて、受信された階層変調信号を適切に復調するために、ＵＥは、いずれかの層における変調の変調次数（異なる変調次数は異なる変調方式に対応する）、トランスポートブロックサイズ（Transport  Block  Size、ＴＢＳ）インデックス値、いずれかの層における変調信号の電力、及び符号化レートなどの、階層変調信号に対応するさまざまな変調パラメータ値を決定する必要がある。
【０１０４】
本発明のこの実施形態では、変調タイプを除く前述の他の変調パラメータ値は、ＵＥ側であらかじめ規定されてもよいし、又は他の変調パラメータ値は、下記の３つの構成様式のうちのいずれか１つを使用することによってＵＥに通知されてもよい。本発明の下記の実施形態において提供される３つの構成様式は、それぞれ、階層変調に対応するか又は追加層変調に対応する変調パラメータ値をＵＥに通知すること、いずれかの層における変調に対応する変調パラメータ値をＵＥに通知すること、及び基本層変調に対応する変調パラメータ値をＵＥに通知することを含む。下記は、３つの構成様式について１つずつ説明する。
【０１０５】
第１の様式では、ＵＥに、階層変調に対応するか又は追加層変調に対応する変調パラメータ値が通知される。
【０１０６】
この構成様式では、プロセッサ３１は、基本層変調の変調次数及びＴＢＳインデックス値などのパラメータ値をＵＥに通知することを必要とせず、これは、シグナリングオーバーヘッドを節約し得る。
【０１０７】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１０８】
任意選択で、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【０１０９】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１１０】
第２の様式では、ＵＥに、いずれかの層における変調に対応する変調パラメータ値が通知される。
【０１１１】
この構成様式では、いずれかの層における変調に対応する変調次数とＴＢＳインデックス値は、一緒にＵＥに通知され得る。この別個の構成様式では、パラメータ構成はより柔軟になり、ＵＥ側でのデータ処理は、複雑さが低くなる。
【０１１２】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１１３】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１１４】
第３の様式では、ＵＥに、基本層変調に対応する変調パラメータ値が通知される。
【０１１５】
この構成様式では、セル内のすべてのＵＥに対して、基本層変調の変調次数及びＴＢＳインデックス値のみが通知され得、これは、階層変調をサポートしないＵＥにおけるデータ処理の複雑さを低下させる。
【０１１６】
具体的には、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【０１１７】
任意選択で、この種類の変調構成情報の場合、変調構成情報は、パイロット信号の送信電力と基本層変調信号の送信電力との比をさらに含む。
【０１１８】
任意選択で、サービスデータは、マルチメディアブロードキャストマルチキャストサービスＭＢＭＳデータである。
【０１１９】
プロセッサによって実行される方法において、送信される必要があるサービスデータの変調タイプを決定することは、マルチキャスト制御チャネルＭＣＣＨとマルチキャストトラフィックチャネルＭＴＣＨが同じサブフレーム上で送信される必要があるとき、変調タイプが階層変調であることを決定することを含み、プロセッサによって実行される方法において、階層変調によって、送信される必要があるサービスデータを変調することは、ＭＣＣＨ変調中に使用される変調構成情報を使用することによって、ＭＴＣＨ上で送信される必要があるＭＢＭＳデータを変調することを含むか、又はプロセッサによって実行される方法において、送信される必要があるサービスデータの変調タイプを決定することは、マルチキャスト制御チャネルＭＣＣＨとマルチキャストトラフィックチャネルＭＴＣＨが同じサブフレーム上で送信される必要があるとき、変調タイプが非階層変調であることを決定することを含み、変調タイプが非階層変調であることが決定された後で、送信される必要があるサービスデータの変調タイプを決定することは、ＭＣＣＨ変調中に使用される変調構成情報を使用することによって、ＭＴＣＨ上で送信される必要があるＭＢＭＳデータを変調することをさらに含む。
【０１２０】
図４に示されるように、図４は、本発明の実施形態４による信号伝送装置の概略構造図であり、信号伝送装置は、プロセッサ４１と、メモリ４２と、バス４３とを含む。メモリ４２は実行命令を記憶する。装置が実行されるとき、プロセッサ４１は、バスを使用することによってメモリ４２と通信する。プロセッサ４１は、実行命令を実行し、その結果、装置が、下記の方法、すなわち、ネットワーク側デバイスによって送られた変調構成情報を受信することであって、変調構成情報が、サービスデータの変調タイプを示すために使用される情報を含み、変調タイプが階層変調と非階層変調とを含む、受信することと、ネットワーク側デバイスによって送られた階層変調信号を受信することであって、階層変調信号が、サービスデータに対して階層変調が実行された後で取得される信号である、受信することと、サービスデータを取得するように、受信された階層変調信号を、受信された変調構成情報に従って復調することとを実行する。
【０１２１】
任意選択で、サービスデータは基本層データと追加層データとを含み、基本層データの優先度は追加層データの優先度よりも高い。
【０１２２】
階層変調は基本層変調と追加層変調とを含み、基本層変調は、サービスデータ内の基本層データに対して実行される変調であり、追加層変調は、サービスデータ内の追加層データに対して実行される変調である。
【０１２３】
変調タイプに加えて、前述の変調構成情報は、下記の３つの種類のうちのいずれか１つをさらに含み得る。
【０１２４】
第１の種類では、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１２５】
任意選択で、変調構成情報が、階層変調に対応する全ＴＢＳインデックス値と追加層変調に対応するＴＢＳインデックス値のいずれかを含む場合、基本層変調の変調次数と追加層変調の変調次数との比は、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【０１２６】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１２７】
第２の種類では、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するトランスポートブロックサイズＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１２８】
任意選択で、この種類の変調構成情報の場合、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１２９】
第３の種類では、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するトランスポートブロックサイズＴＢＳインデックス値とを含む。
【０１３０】
任意選択で、この種類の変調構成情報の場合、変調構成情報は、パイロット信号の送信電力と基本層変調信号の送信電力との比をさらに含む。
【０１３１】
図５に示されるように、図５は、本発明の実施形態５による信号伝送方法のフローチャートであり、方法は下記のステップを含む。
【０１３２】
Ｓ５０１：ネットワーク側デバイスが、送信される必要があるサービスデータの変調タイプを決定し、変調タイプは階層変調と非階層変調とを含む。
【０１３３】
Ｓ５０２：ネットワーク側デバイスが、変調タイプが階層変調であることを決定したとき、階層変調によって、送信される必要があるサービスデータを変調し、変調された階層変調信号をＵＥに送り、変調構成情報をＵＥに送り、したがって、ＵＥは、受信された階層変調信号を、変調構成情報に従って復調し、変調構成情報は、変調タイプを示すために使用される情報を含む。
【０１３４】
ネットワーク側デバイスは、階層変調信号と変調構成情報を同時に送ってもよいし、又は変調構成情報を送った後で、階層変調信号を送ってもよいことに留意されたい。２つの実行順序は、本発明のこの実施形態では限定されない。
【０１３５】
本発明のこの実施形態では、ネットワーク側デバイスは、具体的には、ＬＴＥシステムにおける進化型ノードＢ（evolved  Node  B、ｅＮＢ）であってよい。送信される必要があるサービスデータに対して、ネットワーク側デバイスは、使用される必要がある変調タイプを決定する。変調タイプは、非階層変調（すなわち、単一変調方式）又は階層変調であってよい。任意選択で、階層変調という変調タイプの場合、ネットワーク側デバイスによって送信されるサービスデータは基本層データと追加層データとを含み、基本層データの優先度は追加層データの優先度よりも高い（すなわち、基本層データによって必要とされる保護程度は、追加層データによって必要とされる保護程度よりも高い）。階層変調は基本層変調と追加層変調とを含み、基本層変調は、サービスデータ内の基本層データに対して実行される変調であり、追加層変調は、サービスデータ内の追加層データに対して実行される変調であり、すなわち、基本層変調信号の優先度は追加層変調信号の優先度よりも高い。
【０１３６】
具体的には、同じＭＢＭＳサービスでは、ネットワーク側デバイスが、セル内の異なるＵＥに、異なる品質を有するビジネスサービスを提供する必要がある場合、階層変調方式が使用され得る。たとえば、セル内のＵＥにＭＢＭＳビデオサービスを提供するとき、セル中央ＵＥとセル端ＵＥの両方がビデオを視聴できるという要件と、高精細度ビデオもセル中央ＵＥ又は比較的良好なチャネル状態を有するＵＥに提供可能であるという要件を満たすために、ネットワーク側デバイスは、階層変調方式を使用することによって、通常ビデオデータと、高精細度ビデオに対応する補完ビデオデータを変調することを決定し得る。具体的には、通常ビデオデータは、階層変調における基本層変調（ＱＰＳＫなど）によって変調されてよく、補完ビデオデータは、階層変調における追加層変調（１６ＱＡＭなど）によって変調されてよい。図６に示されるように、図６は階層変調の概略コンステレーション図である。図から、６４ＱＡＭに基づく階層変調コンステレーションは、ＱＰＳＫに基づく基本層コンステレーションと１６ＱＡＭに基づく追加層コンステレーションを組み合わせた後で取得され得ることが分かる。このようにして、セル端ＵＥ又は比較的不良なチャネル状態を有するＵＥは、受信された階層変調信号から復調によって通常ビデオデータを取得し、通常ビデオデータを使用することによって通常ビデオを視聴し得る。セル中央ＵＥ又は比較的良好なチャネル状態を有するＵＥは、受信された階層変調信号から復調によって通常ビデオデータを取得するだけでなく、復調によって補完ビデオデータを取得し、２種類のビデオデータを使用することによって高精細度ビデオを視聴することもできる。
【０１３７】
特定の実装形態では、ネットワーク側デバイスが、セル内のすべてのＵＥに同じサービス品質を有するＭＢＭＳサービスを提供する必要がある場合、ネットワーク側デバイスは、非階層変調、すなわち単一変調方式を使用することを選択し得る。
【０１３８】
特定の実装形態では、異なるＵＥにユニキャストサービスデータを提供するとき、ネットワーク側デバイスは、階層変調方式を使用することを選択し得る。具体的には、ネットワーク側デバイスは、基本層変調と追加層変調を別個に使用して、異なるＵＥに送られるユニキャストサービスデータを変調し得る。セル端ＵＥ又は比較的不良なチャネル状態を有するＵＥに送られるユニキャストサービスデータに対して、基本層変調が、データ伝送のロバストネスを保証するために使用され得る。セル中央ＵＥ又は比較的良好なチャネル状態を有するＵＥに送られるユニキャストサービスデータに対して、追加層変調が、データ伝送効率を改善するために使用され得る。このようにして、各ＵＥは、受信された階層変調信号から復調によってＵＥの基本層ユニキャストサービスデータ又は追加層ユニキャストサービスデータを取得することができるだけでなく、システムスループット及びスペクトル利用効率を改善することもできる。
【０１３９】
変調タイプに加えて、受信された階層変調信号を適切に復調するために、ＵＥは、いずれかの層における変調の変調次数（異なる変調次数は異なる変調方式に対応する）、トランスポートブロックサイズ（Transport  Block  Size、ＴＢＳ）インデックス値、いずれかの層における変調信号の電力、及び符号化レートなどの、階層変調信号に対応するさまざまな変調パラメータ値を決定する必要がある。
【０１４０】
本発明のこの実施形態では、変調タイプを除く前述の他の変調パラメータ値は、ＵＥ側であらかじめ規定されてもよいし、又は他の変調パラメータ値は、下記の３つの構成様式のうちのいずれか１つを使用することによってＵＥに通知されてもよい。本発明の下記の実施形態において提供される３つの構成様式は、それぞれ、階層変調に対応するか又は追加層変調に対応する変調パラメータ値をＵＥに通知すること、いずれかの層における変調に対応する変調パラメータ値をＵＥに通知すること、及び基本層変調に対応する変調パラメータ値をＵＥに通知することを含む。下記は、３つの構成様式について１つずつ説明する。
【０１４１】
第１の様式では、ＵＥに、階層変調に対応するか又は追加層変調に対応する変調パラメータ値が通知される。
【０１４２】
具体的には、変調タイプに加えて、変調構成情報は変調符号化方式ＭＣＳインデックスをさらに含み、異なるＭＣＳインデックスは異なるＭＣＳ構成情報に対応し、ＭＣＳ構成情報は、階層変調の全変調次数及び追加層変調の変調次数のいずれかと、階層変調に対応する全トランスポートブロックサイズＴＢＳインデックス値及び追加層変調に対応するＴＢＳインデックス値のいずれかと、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１４３】
この構成様式では、階層変調の全変調次数といずれかの層における変調の変調次数との間の対応関係があらかじめ規定されてもよいし、又は基本層変調の変調次数があらかじめ規定されてもよいし、又は他の既存のシグナリングを使用することによってＵＥに通知されてもよい。本明細書において、異なる変調次数は、異なる変調方式に対応する。たとえば、変調次数２はＱＰＳＫ変調方式に対応し、変調次数４は１６ＱＡＭ変調方式に対応し、変調次数６は６４ＱＡＭ変調方式に対応する。さらに、基本層変調に対応するＴＢＳインデックス値は、あらかじめ規定されてもよいし、又は他の既存のシグナリングを使用することによってＵＥに通知されてもよい。異なるＴＢＳインデックス値は、異なるＴＢＳに対応する。いずれかの層における変調次数及びＴＢＳインデックス値を決定した後で、ＵＥは、いずれかの層における変調次数、ＴＢＳインデックス値、及び他の既知のシステムパラメータに従って、いずれかの層における変調信号の符号化レートを決定し得る。変調次数、ＴＢＳインデックス、及び符号化レートに加えて、前述の構成における比（下記では、総称して比αと呼ばれる）は、同様に、ＵＥが階層変調信号を復調するために使用される必須のパラメータである。さらに、いずれかの層における変調信号の送信電力値は、あらかじめ規定されてもよいし、又は他の既存のシグナリングを使用することによってＵＥに通知されてもよい。或いは、基本層変調信号又は追加層変調信号の送信電力値は、あらかじめ規定されてもよいし、又は他の既存シグナリングを使用することによってＵＥに通知されてもよい。前述の変調構成情報は、前述の電力比のうちのいずれか１つを含む（すなわち、比αは、基本層変調信号の送信電力と階層変調信号の送信電力との比、又は追加層変調信号の送信電力と階層変調信号の送信電力との比、又は基本層変調信号の送信電力と追加層変調信号の送信電力との比である）。或いは、下記の情報、すなわち、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比（パイロット信号の送信電力は、上記の情報では既知である）のうちの１つが、前述の変調構成情報に追加されてもよい。
【０１４４】
前述の変調構成情報では、階層変調の全変調次数を得る場合、ＵＥは、全変調次数と、あらかじめ規定された全変調次数といずれかの層における変調の変調次数との間の対応関係とに従って、いずれかの層における変調の変調次数を決定してもよいし、又は全変調次数と、基本層変調の変調次数であるとともに、他の既存のシグナリングを使用することによって得られるか、又はあらかじめ規定された変調次数とに従って、追加層変調の変調次数を決定してもよい。
【０１４５】
階層変調に対応する全ＴＢＳインデックス値を得る場合、ＵＥは、全ＴＢＳインデックス値と、基本層変調に対応するとともに、他の既存のシグナリングを使用することによって得られるか、又はあらかじめ規定されたＴＢＳインデックス値とに従って、追加層変調に対応するＴＢＳインデックス値を決定してよい。
【０１４６】
階層変調に対応する全ＴＢＳインデックス値を得る場合、ＵＥは、両方の層における変調に対応するＴＢＳインデックス値の比と、両方の層における変調に対応する変調次数の比との間のあらかじめ規定された対応関係に従って、いずれかの層における変調に対応するＴＢＳインデックス値をさらに決定し得る。追加層変調に対応するＴＢＳインデックス値を得る場合、ＵＥは、対応関係に従って、基本層変調に対応するＴＢＳインデックス値も決定し得る。対応関係は、下記のようであってよい。基本層変調の変調次数と追加層変調の変調次数との比が、基本層変調に対応するＴＢＳインデックス値と追加層変調に対応するＴＢＳインデックス値との比に等しいか、又は基本層変調の変調次数と追加層変調の変調次数との比及び基本層変調の符号化レートと追加層変調の符号化レートとの比の積が、基本層変調に対応するＴＢＳインデックス値と追加層変調に対応するＴＢＳインデックス値との比に等しい。
【０１４７】
すなわち、ＵＥが、階層変調に対応する全ＴＢＳインデックス値を得た後で、基本層変調及び追加層変調にそれぞれ対応するＴＢＳインデックス値が、下記の式に従って決定され得る。又は、ＵＥが、追加層変調に対応するＴＢＳインデックス値を得た後で、基本層変調に対応するＴＢＳインデックス値が、下記の式に従って決定され得る。基本層変調信号と追加層変調信号が同じ符号化レートを有する場合、式は下記のとおりである。
【０１４８】
【数１】
0006450777.tif 000002
【０１４９】
上式で、ＴＢＳＢは基本層変調に対応するＴＢＳインデックス値、ＴＢＳＥは追加層変調に対応するＴＢＳインデックス値、ＮＢは基本層変調の変調次数、ＮＥは追加層変調の変調次数である。
【０１５０】
基本層変調信号と追加層変調信号が異なる符号化レートを有する場合、式は下記のとおりである。
【０１５１】
【数２】
0006450777.tif 000003
【０１５２】
上式で、ＶＢは基本層変調信号の符号化レート、ＶＥは追加層変調信号の符号化レートであり、基本層変調信号の符号化レートと追加層変調信号の符号化レートとの比は、あらかじめ規定されてもよい。
【０１５３】
下記は、具体的な例を使用することによって、どのようにしてＵＥが前述の構成様式において受信された階層変調信号を復調するかについて説明する。
【０１５４】
たとえば、変調タイプに加えて、ＵＥによって受信される変調構成情報は、ＭＣＳインデックスをさらに含む。ＭＣＳインデックスに対応するとともに、ＭＣＳインデックスとＭＣＳ構成情報との間の記憶された対応関係からＵＥによって照会されるＭＣＳ構成情報は、階層変調の全変調次数と、階層変調に対応する全トランスポートブロックサイズＴＢＳインデックス値と、基本層変調信号の送信電力と階層変調信号の送信電力との比（比α）と、パイロット信号の送信電力と基本層変調信号の送信電力との比とを含む。
【０１５５】
したがって、ＵＥは、階層変調の全変調次数といずれかの層における変調の変調次数との間のあらかじめ規定された対応関係と、階層変調の全変調次数であるとともに、ＭＣＳインデックスに対応する照会された全変調次数とに従って、いずれかの層における変調の変調次数を決定する。ＵＥは、基本層変調に対応するあらかじめ規定されたＴＢＳインデックス値と、階層変調の全ＴＢＳインデックス値であるとともに、ＭＣＳインデックスに対応する全ＴＢＳインデックス値とに従って、いずれかの層における変調に対応するＴＢＳインデックス値を決定する。ＵＥは、いずれかの層における変調次数、ＴＢＳインデックス値、及び別の既知のシステムパラメータに従って、いずれかの層における変調信号の符号化レートを決定する。ＵＥは、パイロット信号の既知の送信電力と、パイロット信号の送信電力と基本層変調信号の送信電力との比であるとともに、ＭＣＳインデックスに対応する比とに従って、基本層変調信号の送信電力を決定する。ＵＥは、基本層変調信号の送信電力と階層変調信号の送信電力との比であるとともに、ＭＣＳインデックスに対応する比と、決定された基本層変調信号の送信電力とに従って、追加層変調信号の送信電力を決定する。最後に、ＵＥは、決定されたいずれかの層における変調の変調次数、決定されたいずれかの層における変調に対応するＴＢＳインデックス値、決定された比α、決定されたいずれかの層における変調信号の符号化レート、及び決定されたいずれかの層における変調信号の送信電力に従って、受信された階層変調信号を復調する。
【０１５６】
前述の第１の構成様式を使用することによって、ネットワーク側デバイスは、基本層変調の変調次数及びＴＢＳインデックス値などのパラメータ値をＵＥに通知することを必要とせず、これは、シグナリングオーバーヘッドを節約し得る。
【０１５７】
第２の様式では、ＵＥに、いずれかの層における変調に対応する変調パラメータ値が通知される。
【０１５８】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１５９】
この実装様式では、ネットワーク側デバイスは、いずれかの層における変調に対応する変調次数及びＴＢＳインデックス値をＵＥに通知する。この別個の構成様式では、パラメータ構成はより柔軟になり、ＵＥ側でのデータ処理は、複雑さが低くなる。この実装様式では、いずれかの層における変調信号の送信電力値は、あらかじめ定義されてもよいし、又は他の既存のシグナリングを使用することによってＵＥに通知されてもよい。或いは、基本層変調信号又は追加層変調信号の送信電力値は、あらかじめ定義されてもよいし、又は他の既存シグナリングを使用することによってＵＥに通知されてもよい。前述の変調構成情報は、前述の電力比のうちのいずれか１つを含む（すなわち、比αは、基本層変調信号の送信電力と階層変調信号の送信電力との比、又は追加層変調信号の送信電力と階層変調信号の送信電力との比、又は基本層変調信号の送信電力と追加層変調信号の送信電力との比である）。或いは、下記の情報、すなわち、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比（パイロット信号の送信電力は、上記の情報では既知である）のうちの１つが、前述の変調構成情報に追加されてもよい。
【０１６０】
下記は、具体的な例を使用することによって、どのようにしてＵＥが前述の構成様式において受信された階層変調信号を復調するかについて説明する。
【０１６１】
たとえば、変調タイプに加えて、ＵＥによって受信される変調構成情報は、ＭＣＳインデックスをさらに含む。ＭＣＳインデックスに対応するとともに、ＭＣＳインデックスとＭＣＳ構成情報との間の記憶された対応関係からＵＥによって照会されるＭＣＳ構成情報は、いずれかの層における変調の変調次数と、いずれかの層における変調に対応するＴＢＳインデックス値と、基本層変調信号の送信電力と階層変調信号の送信電力との比（比α）と、パイロット信号の送信電力と基本層変調信号の送信電力との比とを含む。
【０１６２】
したがって、ＵＥは、いずれかの層における変調次数、ＴＢＳインデックス値、及び別の既知のシステムパラメータに従って、いずれかの層における変調信号の符号化レートを決定する。ＵＥは、パイロット信号の既知の送信電力と、パイロット信号の送信電力と基本層変調信号の送信電力との比であるとともに、ＭＣＳインデックスに対応する比とに従って、基本層変調信号の送信電力を決定する。ＵＥは、基本層変調信号の送信電力と階層変調信号の送信電力との比であるとともに、ＭＣＳインデックスに対応する比と、決定された基本層変調信号の送信電力とに従って、追加層変調信号の送信電力を決定する。最後に、ＵＥは、決定されたいずれかの層における変調の変調次数、決定されたいずれかの層における変調に対応するＴＢＳインデックス値、決定された比α、決定されたいずれかの層における変調信号の符号化レート、及び決定されたいずれかの層における変調信号の送信電力に従って、受信された階層変調信号を復調する。
【０１６３】
第３の様式では、ＵＥに、基本層変調に対応する変調パラメータ値が通知される。
【０１６４】
具体的には、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するＴＢＳインデックス値とを含む。
【０１６５】
この実装様式では、基本層変調に対応する変調次数及びＴＢＳインデックス値のみがＵＥに通知される。追加層変調に対応する変調次数、ＴＢＳインデックス値、及び比αは、あらかじめ規定されている。追加層変調信号の符号化レートは、あらかじめ規定されてもよいし、又は追加層変調信号の符号化レートと基本層変調信号の符号化レートは同じであることが前もって定められてもよい。
【０１６６】
この実装様式では、基本層変調信号の送信電力値は、あらかじめ規定されてもよいし、又は前述の変調構成情報において通知されてもよい。具体的な通知様式は、暗黙的通知であってよい。
【０１６７】
任意選択で、変調構成情報は、パイロット信号の送信電力と基本層変調信号の送信電力との比をさらに含む。
【０１６８】
本明細書において、パイロット信号の送信電力は、あらかじめ規定されている。同様に、追加層変調信号の送信電力値もあらかじめ規定されてもよいし、又は前述の比αは電力比である（基本層変調信号の送信電力と階層変調信号の送信電力との比、又は追加層変調信号の送信電力と階層変調信号の送信電力との比、又は基本層変調信号の送信電力と追加層変調信号の送信電力との比）。このようにして、追加層変調信号の送信電力値は、基本層変調信号の送信電力値に従って決定され得る。
【０１６９】
下記は、具体的な例を使用することによって、どのようにしてＵＥが前述の構成様式において受信された階層変調信号を復調するかについて説明する。
【０１７０】
たとえば、変調タイプに加えて、ＵＥによって受信される変調構成情報は、ＭＣＳインデックスをさらに含む。ＭＣＳインデックスに対応するとともに、ＭＣＳインデックスとＭＣＳ構成情報との間の記憶された対応関係からＵＥによって照会されるＭＣＳ構成情報は、基本層変調の変調次数と、基本層変調に対応するＴＢＳインデックス値と、パイロット信号の送信電力と基本層変調信号の送信電力との比とを含む。
【０１７１】
したがって、ＵＥは、パイロット信号の既知の送信電力と、パイロット信号の送信電力と基本層変調信号の送信電力との比であるとともに、ＭＣＳインデックスに対応する比とに従って、基本層変調信号の送信電力を決定する。ＵＥは、あらかじめ規定された基本層変調信号の送信電力と追加層変調信号の送信電力との比（比α）と、決定された基本層変調信号の送信電力とに従って、追加層変調信号の送信電力を決定する。ＵＥは、基本層変調の変調次数であるとともに、ＭＣＳインデックスに対応する変調次数と、基本層変調に対応するＴＢＳインデックス値と、別の既知のシステムパラメータとに従って、基本層変調信号の符号化レートを決定する。ＵＥは、あらかじめ規定された追加層変調の変調次数、追加層変調に対応するＴＢＳインデックス値、及び別の既知のシステムパラメータに従って、追加層変調信号の符号化レートを決定する。最後に、ＵＥは、基本層変調の変調次数であるとともに、ＭＣＳインデックスに対応する変調次数と、基本層変調に対応するＴＢＳインデックス値と、あらかじめ規定された追加層変調の変調次数と、追加層変調に対応するＴＢＳインデックス値と、比αと、いずれかの層における変調信号の決定された送信電力及び決定された符号化レートとに従って、受信された階層変調信号を復調する。
【０１７２】
この実装様式では、セル内のすべてのＵＥに対して、基本層変調の変調次数及びＴＢＳインデックス値のみが通知され得、これは、階層変調をサポートしないＵＥにおけるデータ処理の複雑さを低下させる。
【０１７３】
任意選択で、Ｓ５０１では、サービスデータはＭＢＭＳデータである。
【０１７４】
送信される必要があるサービスデータの変調タイプを決定することは、マルチキャスト制御チャネルＭＣＣＨとマルチキャストトラフィックチャネルＭＴＣＨが同じサブフレーム上で送信される必要があるとき、変調タイプが階層変調であることを決定することを含み、変調タイプが階層変調であることが決定されたとき、階層変調によって、送信される必要があるサービスデータを変調することは、ＭＣＣＨ変調中に使用される変調構成情報を使用することによって、ＭＴＣＨ上で送信される必要があるＭＢＭＳデータを変調することを含むか、又は送信される必要があるサービスデータの変調タイプを決定することは、マルチキャスト制御チャネルＭＣＣＨとマルチキャストトラフィックチャネルＭＴＣＨが同じサブフレーム上で送信される必要があるとき、変調タイプが非階層変調であることを決定することを含み、変調タイプが非階層変調であることが決定された後で、送信される必要があるサービスデータの変調タイプを決定することは、ＭＣＣＨ変調中に使用される変調構成情報を使用することによって、ＭＴＣＨ上で送信される必要があるＭＢＭＳデータを変調することをさらに含む。
【０１７５】
具体的な実装プロセスでは、ネットワーク側デバイスが、ＭＣＣＨとＭＴＣＨを同じサブフレーム上で同時に送信する必要がある場合、ＭＣＣＨ変調中に使用される変調構成情報は、ＭＴＣＨ上で送信される必要があるＭＢＭＳデータを変調するために使用される必要がある。同様に、ＵＥが、ＭＣＣＨとＭＴＣＨを同じサブフレーム上で同時に受信するとき、ＭＣＣＨ復調中に使用される変調構成情報は、ＭＴＣＨ上で受信されたＭＢＭＳデータを復調するために使用される。本明細書における変調構成情報は、システム情報ブロック（ＳＩＢ）内で通知される。ＭＣＣＨ変調中に使用される変調方式が非階層変調、すなわち単一変調方式であるとき、ＭＴＣＨ上で送信されるＭＢＭＳデータは、単一変調方式を使用することによって変調される必要がある。この場合、単一変調方式を使用することによって変調されるＭＢＭＳデータは、基本層データのみを含んでもよいし、又は基本層データと追加層データの両方を含んでもよい。
【０１７６】
同じ発明概念に基づいて、本発明の下記の実施形態は、ＵＥ側に基づいた信号伝送方法をさらに提供する。具体的な実装形態は前述の実施形態におけるステップに類似しており、繰り返される説明は提供されない。
【０１７７】
図７に示されるように、図７は、本発明の実施形態６による信号伝送方法のフローチャートであり、方法は下記のステップを含む。
【０１７８】
Ｓ７０１：ＵＥは、ネットワーク側デバイスによって送られた変調構成情報を受信し、変調構成情報は、サービスデータの変調タイプを示すために使用される情報を含み、変調タイプは階層変調と非階層変調とを含む。
【０１７９】
Ｓ７０２：ネットワーク側デバイスによって送られた階層変調信号を受信し、階層変調信号は、サービスデータに対して階層変調が実行された後で取得される信号である。
【０１８０】
本明細書において、ステップＳ７０２及びステップＳ７０１の実行順序は、本発明のこの実施形態では限定されない。ＵＥは、階層変調信号と変調構成情報を同時に受信してもよいし、又は変調構成情報を受信した後で、階層変調信号を受信してもよい。
【０１８１】
Ｓ７０３：ＵＥは、サービスデータを取得するように、受信された階層変調信号を、変調構成情報に従って復調する。
【０１８２】
任意選択で、サービスデータは基本層データと追加層データとを含み、基本層データの優先度は追加層データの優先度よりも高い。
【０１８３】
階層変調は基本層変調と追加層変調とを含み、基本層変調は、サービスデータ内の基本層データに対して実行される変調であり、追加層変調は、サービスデータ内の追加層データに対して実行される変調である。
【０１８４】
変調タイプに加えて、受信された階層変調信号を適切に復調するために、ＵＥは、階層変調信号に対応するさまざまな変調パラメータ値を決定する必要がある。本発明のこの実施形態は、変調パラメータ値のための３つの構成様式を提供する。ＵＥは、３つの様式のうちのいずれか１つに従って、階層変調信号を復調するためのさまざまな変調パラメータ値を決定し得る。
【０１８５】
第１の様式では、変調構成情報は、階層変調に対応するか又は追加層変調に対応する変調パラメータ値を含む。
【０１８６】
具体的には、変調構成情報はＭＣＳインデックスをさらに含み、異なるＭＣＳインデックスは異なるＭＣＳ構成情報に対応し、ＭＣＳ構成情報は、階層変調の全変調次数及び追加層変調に対応する変調次数のいずれかと、階層変調に対応する全トランスポートブロックサイズＴＢＳインデックス値及び追加層変調に対応するＴＢＳインデックス値のいずれかと、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１８７】
任意選択で、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１８８】
任意選択で、変調構成情報が、階層変調に対応する全ＴＢＳインデックス値、又は追加層変調に対応するＴＢＳインデックス値を含む場合、基本層変調の変調次数と追加層変調の変調次数との比は、基本層変調に対応するＴＢＳインデックス値と追加層変調に対応するＴＢＳインデックス値との比に等しいか、又は、基本層変調の変調次数と追加層変調の変調次数との比及び基本層変調の符号化レートと追加層変調の符号化レートとの比の積は、基本層変調に対応するＴＢＳインデックス値と追加層変調に対応するＴＢＳインデックス値との比に等しい。
【０１８９】
第２の様式では、変調構成情報は、いずれかの層における変調に対応する変調パラメータ値を含む。
【０１９０】
具体的には、変調構成情報は変調符号化方式ＭＣＳインデックスをさらに含み、異なるＭＣＳインデックスは異なるＭＣＳ構成情報に対応し、ＭＣＳ構成情報は、階層変調でのいずれかの層における変調の変調次数と、いずれかの層における変調に対応するＴＢＳインデックス値と、下記の、基本層コンステレーションポイント間隔と階層変調コンステレーションポイント間隔との比、追加層コンステレーションポイント間隔と階層変調コンステレーションポイント間隔との比、基本層コンステレーションポイント間隔と追加層コンステレーションポイント間隔との比、基本層変調信号の送信電力と階層変調信号の送信電力との比、追加層変調信号の送信電力と階層変調信号の送信電力との比、又は基本層変調信号の送信電力と追加層変調信号の送信電力との比、という６つの比のうちのいずれか１つとを含む。
【０１９１】
任意選択で、変調構成情報は、パイロット信号の送信電力と階層変調信号の送信電力との比、又はパイロット信号の送信電力と、基本層変調信号の送信電力及び追加層変調信号の送信電力の各々との比、又はパイロット信号の送信電力と基本層変調信号の送信電力との比をさらに含む。
【０１９２】
第３の様式では、変調構成情報は、基本層変調に対応する変調パラメータ値を含む。
【０１９３】
具体的には、変調構成情報は変調符号化方式ＭＣＳインデックスをさらに含み、異なるＭＣＳインデックスは異なるＭＣＳ構成情報に対応し、ＭＣＳ構成情報は、基本層変調の変調次数と、基本層変調に対応するＴＢＳインデックス値とを含む。
【０１９４】
任意選択で、変調構成情報は、パイロット信号の送信電力と基本層変調信号の送信電力との比をさらに含む。
【０１９５】
任意選択で、Ｓ７０２では、サービスデータはＭＢＭＳデータである。方法は、ＵＥが、ＭＣＣＨ復調中に使用される変調構成情報を使用することによって、マルチキャスト制御チャネルＭＣＣＨとマルチキャストトラフィックチャネルＭＴＣＨを同じサブフレーム上で同時に受信するとき、ＭＴＣＨ上で受信されたＭＢＭＳデータを復調することをさらに含む。ＭＢＭＳデータは基本層データであるか、又はＭＢＭＳデータは基本層データ及び追加層データである。
【０１９６】
簡便で短い説明のために、前述の機能モジュール分割は説明のための一例として使用されているにすぎないことは、当業者によって明確に理解されよう。実際の適用例では、前述の機能は、必要に応じた実装のために、異なる機能モジュールに割り当てられ、すなわち、装置の内部構造は異なる機能モジュールに分割されて、上記で説明された機能のすべては又はいくつかを実施する。前述のシステム、装置、及びユニットの詳細な作業プロセスについては、前述の方法実施形態における対応するプロセスに対する参照がなされてよく、詳細は、本明細書において説明されない。
【０１９７】
本出願において提供されるいくつかの実施形態では、開示されるシステム、装置、及び方法は他の様式で実施され得ることを理解されたい。たとえば、説明された装置実施形態は例示にすぎない。たとえば、モジュール分割又はユニット分割は論理機能分割にすぎず、実際の実装では、他の分割であってもよい。たとえば、複数のユニット又は構成要素が別のシステムに結合又は統合されてもよいし、又はいくつかの特徴が無視されてもよいし、若しくは実行されなくてもよい。さらに、表示された若しくは検討された相互結合、又は直接的な結合、又は通信接続は、いくつかのインタフェースを通じて実施されてよい。装置若しくはユニット間の間接的な結合、又は通信接続は、電子的な形式、機械的な形式、又は他の形式で実施されてよい。
【０１９８】
別個の部分として説明されたユニットは物理的に別個であってもなくてもよく、ユニットとして表示された部分は物理的ユニットであってもなくてもよく、１つの位置にあってもよいし、複数のネットワークユニット上に分散されてもよい。ユニットの一部又はすべては、実施形態の解決策の目的を達成するために、実際のニーズに従って選択されてよい。
【０１９９】
さらに、本出願の実施形態における機能ユニットが１つの処理ユニットに統合されてもよいし、ユニットの各々が物理的に単体で存在してもよいし、２つ以上のユニットが１つのユニットに統合される。統合されたユニットは、ハードウェアの形式で実装されてもよいし、ソフトウェア機能ユニットの形式で実装されてもよい。
【０２００】
統合されたユニットがソフトウェア機能ユニットの形式で実装され、独立した製品として販売又は使用されるとき、統合されたユニットは、コンピュータ可読記憶媒体に記憶されてよい。そのような理解に基づいて、本出願の技術的解決策は本質的に、又は従来技術に寄与する部分、又は技術的解決策のすべて若しくは一部は、ソフトウェア製品の形式で実施され得る。ソフトウェア製品は記憶媒体に記憶され、本出願の実施形態において説明される方法のステップのすべて又は一部を実行するようにコンピュータデバイス（パーソナルコンピュータ、サーバ、又はネットワークデバイスであってよい）又はプロセッサ（processor）に指示するためのいくつかの命令を含む。前述の記憶媒体は、ＵＳＢフラッシュドライブ、リムーバブルハードディスク、読み出し専用メモリ（ＲＯＭ、Read-Only  Memory）、ランダムアクセスメモリ（ＲＡＭ、Random  Access  Memory）、磁気ディスク、又は光ディスクなどの、プログラムコードを記憶することができる任意の媒体を含む。
【０２０１】
前述の実施形態は、本出願における技術的解決策について詳細に説明するために使用されているにすぎない。しかしながら、前述の実施形態の説明は、本発明の方法及び核となる概念を理解する助けとなることを意図したものにすぎず、本発明に対する限定と解釈されるべきではない。本発明に開示されている技術範囲内で当業者によって容易に判断されるいかなる変形又は置き換えも、本発明の保護範囲に含まれるものとする。
【図１】
0006450777.tif 000004
【図２】
0006450777.tif 000005
【図３】
0006450777.tif 000006
【図４】
0006450777.tif 000007
【図５】
0006450777.tif 000008
【図６】
0006450777.tif 000009
【図７】
0006450777.tif 000010